(57)【要約】  移動体端末であるＵＥ（１）は、端末間通信が可能である。ＵＥ（１）は、基地局によって送信された電波の受信レベルに基づくＬＴＥ用アンテナピクト（３１９）と、端末間通信においてＵＥ（２）によって送信された電波の受信レベルに基づくＤ２Ｄ用アンテナピクト（３１２）とを、表示部（３００）に表示する。ＵＥ（１）によれば、基地局との通信における電波の受信レベルのみならず、端末間通信における電波の受信レベルを即座に確認することが可能となる。
2016190013.tif 000002
【特許請求の範囲】
【請求項１】
端末間通信が可能な移動体端末であって、
制御部と、
表示部とを備え、
前記制御部は、基地局によって送信された電波の受信レベルに基づく第１のアンテナピクトグラムと、前記端末間通信において第１の相手端末によって送信された電波の受信レベルに基づく第２のアンテナピクトグラムとを、前記表示部に表示させる、移動体端末。
【請求項２】
前記基地局が構成するセルに前記第１の相手端末が在圏する場合には、前記移動体端末は、前記端末間通信を実行する場合の動作モードとして、前記基地局により割り当てられた無線リソースを用いて前記第１の相手端末と通信する第１の動作モードで動作し、
前記基地局が構成するセルに前記第１の相手端末が在圏していない場合には、前記移動体端末は、前記動作モードとして、前記移動体端末によって割り当てられた無線リソースを用いて前記第１の相手端末と通信する第２の動作モードで動作し、
前記制御部は、前記動作モードが前記第１の動作モードおよび前記第２の動作モードのうちのいずれであるかを表す情報を、前記表示部に表示させる、請求項１に記載の移動体端末。
【請求項３】
前記移動体端末は、前記第１の相手端末を介して、前記第１の相手端末との間で前記端末間通信を行なう第２の相手端末と通信し、
前記制御部は、
前記第１の相手端末を介した前記第２の相手端末との通信を利用して、前記第２の相手端末によって送信された電波の受信レベルを判定、あるいは、前記第１の相手端末によって測定された、前記第２の相手端末によって送信された電波の受信レベルを前記第１の相手端末から取得し、
前記判定または取得された受信レベルに基づく第３のアンテナピクトグラムを前記表示部に表示させる、請求項１または２に記載の移動体端末。
【請求項４】
前記移動体端末は、前記第１の相手端末を介さずに、前記第２の相手端末との間で前記端末間通信を行なう第３の相手端末を介することによって、前記第２の相手端末と通信可能であって、
前記制御部は、前記端末間通信において前記第３の相手端末によって送信された電波の受信レベルに基づく第４のアンテナピクトグラムを、前記表示部にさらに表示させる、請求項３に記載の移動体端末。
【請求項５】
端末間通信が可能な移動体端末であって、
制御部と、
表示部とを備え、
前記制御部は、前記端末間通信において第１の相手端末によって送信された電波の受信レベルに基づく第１のアンテナピクトグラムと、前記端末間通信において第２の相手端末によって送信された電波の受信レベルに基づく第２のアンテナピクトグラムとを、前記表示部に表示させ、
前記移動体端末は、前記第１の相手端末と前記第２の相手端末との間の通信を中継する、移動体端末。
【発明の詳細な説明】
【技術分野】
【０００１】
本発明は、基地局と通信可能な移動体端末に関する。
【背景技術】
【０００２】
従来、スマートフォン等の各種の通信端末は、アンテナによる電波の受信レベルを視覚的に表すピクトグラム（以下、「アンテナピクト」とも称する）を、当該通信端末のディスプレイに表示する。【０００３】
たとえば、特開２００６−３３２９４２号公報（特許文献１）には、上記アンテナピクトを表示可能な通信端末として、車載情報端末が開示されている。この車載情報端末は、携帯電話機を介して基地局に接続可能である。車載情報端末は、携帯電話機と基地局との間の通信感度を、携帯電話機から取得する。また、車載情報端末は、車載情報端末と携帯電話機との間の無線通信感度を検知する。さらに、車載情報端末は、携帯電話機と基地局との間の通信感度に応じたアイコンを生成するとともに、車載情報端末と携帯電話機との間の無線通信感度に応じた表示色を選択することにより、２種類の通信感度を共通の領域にアイコンと表示色とにより表示する。【０００４】
また、従来、基地局（ｅＮＢ：evolved  NodeB）を介さずに端末（端末：User  Equipment）同士が通信を行なう端末間（D2D:  device  to  device）通信が知られている。端末間通信は、D2D  Proximity  Services  (ProSe)とも称される。Proximity  Servicesは、3GPP（3rd  Generation  Partnership  Project）のRelease  12において規格化されている。
【先行技術文献】
【特許文献】
【０００５】
【特許文献１】特開２００６−３３２９４２号公報
【発明の概要】
【発明が解決しようとする課題】
【０００６】
しかしながら、上記の端末間通信が可能な移動体端末のユーザは、基地局との通信における電波の受信レベルをアンテナピクトにより即座に確認できるものの、端末間通信における電波の受信レベルを即座に確認することはできない。なお、特許文献１の車載情報装置は、基地局と直接的に通信する構成ではない。【０００７】
本願発明は、上記の問題点に鑑みなされたものであって、基地局との通信における電波の受信レベルのみならず、端末間通信における電波の受信レベルを即座に確認することが可能な移動体端末を提供することにある。
【課題を解決するための手段】
【０００８】
本発明のある局面に従うと、移動体端末は、端末間通信が可能である。移動体端末は、制御部と、表示部とを備える。制御部は、基地局によって送信された電波の受信レベルに基づく第１のアンテナピクトグラムと、端末間通信において第１の相手端末によって送信された電波の受信レベルに基づく第２のアンテナピクトグラムとを、表示部に表示させる。
【発明の効果】
【０００９】
本発明によれば、移動体端末のユーザは、基地局との通信における電波の受信レベルのみならず、端末間通信における電波の受信レベルを即座に確認することが可能となる。
【図面の簡単な説明】
【００１０】
【図１】通信システム１０における第１の局面を説明するための図である。
【図２】図１の状態におけるＵＥ１およびＵＥ２のアンテナピクトを説明するための図である。
【図３】図１に示す第１の局面においてＵＥ１に表示されるアンテナピクトを説明するための図である。
【図４】ＵＥ１のアンテナピクトを説明するための図である。
【図５】通信システム１０における第２の局面を説明するための図である。
【図６】図５の状態におけるＵＥ１のアンテナピクトを説明するための図である。
【図７】通信システム１０における第３の局面を説明するための図である。
【図８】図７の状態におけるＵＥ１のアンテナピクトを説明するための図である。
【図９】ある局面において、オーナーＵＥであるＵＥ１が、リレーに関するアンテナピクトを非表示とした場合を表した図である。
【図１０】ＵＥ１の機能的構成を説明するための図である。
【図１１】ＵＥ１における処理の流れを説明するためのフローチャートである。
【発明を実施するための形態】
【００１１】
以下、図面を参照しつつ、本発明の各実施の形態に係る通信システムについて説明する。特に、以下では、通信システムを構成する移動体端末（以下、「ＵＥ」と称する）について説明する。また、以下の説明では、同一の部材には同一の参照符号を付してある。それらの名称および機能も同じである。したがって、それらについての詳細な説明は繰り返さない。
【００１２】
なお、ＵＥとしては、スマートフォン、タブレット端末、ファブレット端末等の各種の通信端末が挙げられる。ただし、ＵＥは、基地局（以下、「ｅＮＢ」と称する）との間の通信と、端末間通信（以下、「Ｄ２Ｄ通信」と称する）とが可能な構成であれば、これらに限定されるものではない。
【００１３】
以下では、まず、３つの局面を例に挙げ、各々のシチュエーションでＵＥが表示するアンテナピクトを説明する。なお、「ピクト」は、「ピクトグラム」を表す。
【００１４】
＜Ａ．第１の局面＞
図１は、通信システム１０における第１の局面を説明するための図である。図１を参照して、第１の局面においては、通信システム１０は、基地局であるｅＮＢ９と、ｅＮＢ９の通信範囲内に在圏している移動局であるＵＥ１と、ＵＥ１のＤ２Ｄ通信相手端末であるＵＥ２とによって構成されている。
【００１５】
ＵＥ１およびＵＥ２の各々は、Ｄ２Ｄ通信が可能な端末である。ＵＥ１は、ｅＮＢ９が構成するセル９００に在圏している（つまり、In-coverageの状態にある）。それゆえ、ＵＥ１は、ｅＮＢ９とＬＴＥ（Long  Term  Evolution）通信を行なうことができる。一方、ＵＥ２は、セル９００に在圏していない（つまり、Out-of-coverageの状態にある）。それゆえ、ＵＥ２は、ｅＮＢ９とＬＴＥ通信を行えない。また、ＵＥ１およびＵＥ２は、互いにＤ２Ｄ通信を開始している。また、詳細については後述するが、ＵＥ１およびＵＥ２の各々は、表示部３００にアンテナピクトを表示する。
【００１６】
図２は、図１の状態におけるＵＥ１およびＵＥ２のアンテナピクトを説明するための図である。図２（Ａ）は、ＵＥ１において表示されるアンテナピクトを説明するための図である。図２（Ｂ）は、ＵＥ２において表示されるアンテナピクトを説明するための図である。
【００１７】
図２（Ａ）を参照して、ＵＥ１は、電池残量を表す電池ピクト３１１と、ｅＮＢ９によって送信された電波の受信レベル（すわわち、電波強度）に基づく第１のアンテナピクト３１９（以下、「ＬＴＥ用アンテナピクト３１９」とも称する）と、Ｄ２Ｄ通信において相手端末（この場合、ＵＥ２）によって送信された電波の受信レベルに基づく第２のアンテナピクト３１２（以下、「Ｄ２Ｄ用アンテナピクト３１２」とも称する）とを、表示部３００に表示する。詳しくは、ＵＥ１は、電池ピクト３１１と、Ｄ２Ｄ用アンテナピクト３１２と、ＬＴＥ用アンテナピクト３１９とを、表示部３００に表示されたステータスバー３１０に表示する。
【００１８】
ＵＥ１は、上述したようにｅＮＢ９に在圏している。それゆえ、ＬＴＥ用アンテナピクト３１９は、ｅＮＢ９から電波を受信可能な状態にあることを示す表示態様となっている。また、ＵＥ１は、ＵＥ２とＤ２Ｄ通信を行なっている。それゆえ、Ｄ２Ｄ用アンテナピクト３１２は、Ｄ２Ｄ通信の相手端末から電波を受信可能な状態にあることを示す表示態様となっている。
【００１９】
ＬＴＥ用アンテナピクト３１９は、当該ピクトがＬＴＥ通信用であることを明示するための識別情報を含む。典型的には、ＵＥ１は、“ＬＴＥ”の文字列を、複数本で構成されるアンテナバーの近傍に表示する。また、Ｄ２Ｄ用アンテナピクト３１２は、当該ピクトがＤ２Ｄ通信用であること明示するための識別情報を含む。典型的には、ＵＥ１は、“Ｄ２Ｄ”の文字列を、複数本で構成されるアンテナバーの近傍に表示する。
【００２０】
図２（Ｂ）を参照して、ＵＥ２は、電池ピクト３１１と、ＬＴＥ用アンテナピクト３１９と、Ｄ２Ｄ用アンテナピクト３１２とを、表示部３００に表示する。詳しくは、ＵＥ２は、ＵＥ１と同様に、電池ピクト３１１と、Ｄ２Ｄ用アンテナピクト３１２と、ＬＴＥ用アンテナピクト３１９とを、ステータスバー３１０に表示する。
【００２１】
ＵＥ２は、上述したようにｅＮＢ９に在圏していない。それゆえ、ＬＴＥ用アンテナピクト３１９は、ｅＮＢ９から電波を受信不可能な状態（圏外の状態）にあることを示す表示態様となっている。一例として、ＵＥ２は、ＬＴＥ用アンテナピクト３１９に含まれる４本のバーの色を、白色（つまり、４本のバーの各々を白抜き表示）とする。
【００２２】
また、ＵＥ２は、ＵＥ１とＤ２Ｄ通信を行なっている。それゆえ、Ｄ２Ｄ用アンテナピクト３１２は、ＵＥ１と同様に、Ｄ２Ｄ通信の相手端末から電波を受信可能な状態にあることを示す表示態様となっている。
【００２３】
以上のように、ＵＥ１およびＵＥ２の各々は、ＬＴＥ用アンテナピクト３１９と、Ｄ２Ｄ用アンテナピクト３１２とを表示部３００に表示することができる。したがって、ＵＥ１およびＵＥ２の各ユーザは、ｅＮＢ９との通信における電波の受信レベルのみならず、Ｄ２Ｄ通信における電波の受信レベルを即座に確認することが可能となる。
【００２４】
なお、以下では、ｅＮＢ９に在圏し、かつｅＮＢ９に在圏していない他のＵＥとの間でＤ２Ｄ通信を行なっているＵＥを、「オーナーＵＥ」とも称する。たとえば、図１の場合には、ＵＥ１がオーナーＵＥに該当する。また、ＵＥ２は、ＵＥ１のＤ２Ｄ通信相手である第１の相手端末に該当する。
【００２５】
（第１の変形例）
以下、Ｄ２Ｄ用アンテナピクト表示についての第１の変形例について説明する。
【００２６】
Ｄ２Ｄ通信の規格では、Ｄ２Ｄ通信を実行する場合の動作として、２つの動作モードが規定されている。第１の動作モードである「Ｍｏｄｅ１」は、ｅＮＢにより割り当てられた無線リソースを用いて相手のＵＥと通信する動作モードである。第２の動作モードである「Ｍｏｄｅ２」は、オーナーＵＥ自身によって割り当てられた無線リソースを用いて相手のＵＥと通信する動作モードである。詳しくは、Ｍｏｄｅ２においては、オーナーＵＥは、予め定められた無線リソースプールの中の無線リソースを、オーナーＵＥと通信相手のＵＥとの間のＤ２Ｄ通信に割り当てる。
【００２７】
オーナーＵＥが在圏しているセルに通信相手のＵＥが在圏している場合には、オーナーＵＥはＭｏｄｅ１で動作する。この場合、通信相手のＵＥもＭｏｄｅ１で動作する。一方、オーナーＵＥが在圏しているセルに通信相手のＵＥが在圏していない場合には、オーナーＵＥはＭｏｄｅ２で動作する。この場合、通信相手のＵＥもＭｏｄｅ２で動作する。
【００２８】
たとえば、図１に示した第１の局面においては、オーナーＵＥはＵＥ１である。また、通信相手のＵＥ２は、ＵＥ１が在圏するセル９００に在圏していない。したがって、ＵＥ１およびＵＥ２の各々は、Ｍｏｄｅ２で動作する。仮に、ＵＥ２が、ＵＥ１が在圏するセル９００に在圏している場合、ＵＥ１およびＵＥ２の各々は、Ｍｏｄｅ１で動作する。
【００２９】
図３は、図１に示した第１の局面においてＵＥ１に表示されるアンテナピクトを説明するための図である。図３を参照して、ＵＥ１は、電池ピクト３１１と、ＬＴＥ用アンテナピクト３１９と、Ｄ２Ｄ用アンテナピクト３１２Ａとを、表示部３００に表示する。詳しくは、ＵＥ１は、Ｄ２Ｄ用アンテナピクト３１２（図２（Ａ）参照）の代わりに、Ｄ２Ｄ用アンテナピクト３１２Ａをステータスバー３１０に表示する。
【００３０】
ＵＥ１は、Ｍｏｄｅ２で動作している。このため、ＵＥ１は、Ｍｏｄｅ２で動作していることを表す情報をＤ２Ｄ用アンテナピクト３１２Ａに含めた状態で表示する。つまり、Ｄ２Ｄ用アンテナピクト３１２Ａは、Ｍｏｄｅ２で動作していることを表す情報を含む。典型的には、ＵＥ１は、Ｍｏｄｅ２の略称（図３の場合、“Ｍ２”）を、複数本で構成されるアンテナバーの近傍に表示する。この場合には、ＵＥ１のユーザは、ＵＥ１がＭｏｄｅ２で動作していることをステータスバー３１０にて確認できるため、ＵＥ１が在圏しているセル９００にＵＥ２が在圏していないことが分かる。つまり、ＵＥ１のユーザは、ＵＥ２が“Out-of-coverage”の状態にあることが分かる。
【００３１】
なお、仮に、ＵＥ１が、Ｍｏｄｅ１で動作している場合には、ＵＥ１は、Ｍｏｄｅ１で動作していることを表す情報をＤ２Ｄ用アンテナピクト３１２Ａに含めた状態で表示する。典型的には、ＵＥ１は、Ｍｏｄｅ１の略称（図３の場合、“Ｍ１”）を、複数本で構成されるアンテナバーの近傍に表示する。この場合には、ＵＥ１のユーザは、ＵＥ１がＭｏｄｅ１で動作していることをステータスバー３１０にて確認できるため、ＵＥ１が在圏しているセル９００にＵＥ２が在圏していることが分かる。つまり、ＵＥ１のユーザは、ＵＥ２が“In-coverage”の状態にあることが分かる。
【００３２】
以上のように、ｅＮＢ９が構成するセル９００にＵＥ２が在圏する場合には、ＵＥ１は、Ｄ２Ｄ通信を実行する場合の動作モードとして、ｅＮＢ９により割り当てられた無線リソースを用いてＵＥ２と通信するＭｏｄｅ１で動作する。また、ｅＮＢ９が構成するセル９００にＵＥ２が在圏していない場合には、ＵＥ１は、上記動作モードとして、ＵＥ１によって割り当てられた無線リソースを用いてＵＥ２と通信するＭｏｄｅ２で動作する。ＵＥ１は、上記動作モードがＭｏｄｅ１およびＭｏｄｅ２のうちのいずれであるかを表す情報を、表示部３００に表示する。このような構成によれば、ＵＥ１のユーザは、Ｄ２Ｄ通信の相手端末であるＵＥ２が、ＵＥ１が在圏するセル９００に在圏しているか否かを知ることができる。
【００３３】
（第２の変形例）
上記においては、図１に示したｅＮＢ９がＤ２Ｄ通信に対応している場合を例に挙げて説明した。つまり、ｅＮＢ９が、Ｄ２Ｄ通信のために、ｅＮＢ９が構成するセルに在圏するＵＥに無線リソースを割り当てる機能を有する場合を説明した。
【００３４】
以下では、ＵＥ１が在圏するセルを構成するｅＮＢが上記機能を有している場合と当該機能を有していない場合との各々において、ＵＥ１が表示するアンテナピクトについて説明する。つまり、ｅＮＢがＤ２Ｄ通信に対応している場合と対応してない場合との各々において、ＵＥ１が表示するアンテナピクトについて説明する。なお、ＵＥ１は、ｅＮＢがＤ２Ｄ通信に対応しているか否かを、当該ｅＮＢから送られてくる報知情報に含まれるセル情報に基づき判断する。また、以下では、一例として、ｅＮＢが構成するセルにＵＥ１が在圏しており、ＵＥ１がオーナーＵＥであるとする。
【００３５】
図４は、ＵＥ１のアンテナピクトを説明するための図である。図４（Ａ）は、ｅＮＢがＤ２Ｄ通信に対応している場合において、ＵＥ１が表示するアンテナピクトを説明するための図である。図４（Ｂ）は、ｅＮＢがＤ２Ｄ通信に対応していない場合において、ＵＥ１が表示するアンテナピクトを説明するための図である。
【００３６】
図４（Ａ）を参照して、ＵＥ１は、図２（Ａ）と同様に、電池ピクト３１１と、ＬＴＥ用アンテナピクト３１９と、Ｄ２Ｄ用アンテナピクト３１２とを、ステータスバー３１０に表示する。
【００３７】
この際、ＵＥ１は、ＬＴＥ通信における受信レベルを表すため、ＬＴＥ用アンテナピクト３１９を構成する複数本のアンテナバーの全部または一部（図４（Ａ）の場合には、４本のアンテナバーの全て）を、予め定められた第１の色（たとえば、青色）とする。また、ＵＥ１は、Ｄ２Ｄ通信における受信レベルを表すため、Ｄ２Ｄ用アンテナピクト３１２を構成する複数本のアンテナバーの全部または一部（図４（Ａ）の場合には、４本のアンテナバーのうちの３本のアンテナバー）を、予め定められた第１の色（たとえば、青色）とする。なお、ＵＥ１は、４本のアンテナバーのうち残りの１本の色を白色とする。
【００３８】
図４（Ｂ）を参照して、ＵＥ１は、電池ピクト３１１と、ＬＴＥ用アンテナピクト３１９と、Ｄ２Ｄ用アンテナピクト３１２とを、ステータスバー３１０に表示する。
【００３９】
この際、ＵＥ１は、ｅＮＢ９がＤ２Ｄ通信に対応していないこととＬＴＥ通信における受信レベルとを同時に表すため、ＬＴＥ用アンテナピクト３１９を構成する複数本のアンテナバーの全部または一部（図４（Ａ）の場合には、４本のアンテナバーの全て）を、上記第１の色とは異なる予め定められた第２の色（たとえば、赤色）とする。
【００４０】
ｅＮＢ９がＤ２Ｄ通信に対応していない場合には、ＵＥ１は、ＵＥ２との間でＤ２Ｄ通信を開始することができない。このため、ＵＥ１は、Ｄ２Ｄ通信が不可能であることを表すため、Ｄ２Ｄ用アンテナピクト３１２を構成する複数本のアンテナバーの全部（図４（Ａ）の場合には、４本のアンテナバー）を白色とする。さらに、ＵＥ１は、Ｄ２Ｄ用アンテナピクト３１２に、Ｄ２Ｄ通信が不可能であることを表す記号（典型的には、バツ印）を含める。
【００４１】
オーナーＵＥであるＵＥ１のユーザは、ＬＴＥ用アンテナピクト３１９が赤色（詳しくは、１つ以上のアンテナバーが赤色）である場合、赤色のＬＴＥ用アンテナピクト３１９を確認することにより、Ｄ２Ｄ通信を開始することはできないことを判断できる。
【００４２】
なお、図４（Ｂ）においては、Ｄ２Ｄ用アンテナピクト３１２を非表示としてもよい。この場合であっても、ＵＥ１のユーザは、赤色のＬＴＥ用アンテナピクト３１９を確認することにより、Ｄ２Ｄ通信を開始することはできないことを判断できる。
【００４３】
以下では、説明の便宜上、上記第１の色が「青色」であって、上記第２の色が「赤色」である場合を例に挙げて説明する。
【００４４】
＜Ｂ．第２の局面＞
図５は、通信システム１０における第２の局面を説明するための図である。図５を参照して、第２の局面においては、通信システム１０は、ｅＮＢ９と、ＵＥ１と、ＵＥ２と、ＵＥ３とによって構成されている。
【００４５】
ＵＥ１は、ｅＮＢ９が構成するセル９００に在圏している。一方、ＵＥ２およびＵＥ３の各々は、セル９００に在圏していない。ＵＥ１とＵＥ２との間では、Ｄ２Ｄ通信が確立している。また、ＵＥ２とＵＥ３との間でも、Ｄ２Ｄ通信が確立している。詳しくは、ＵＥ１は、ＵＥ２を介して、ＵＥ３と通信が可能な状態にある。つまり、ＵＥ１は、ＵＥ３との通信のために、ＵＥ２を中継器（以下、「リレー」と称する）として用いている。
【００４６】
ここでは、ＵＥ１がオーナーＵＥに該当する。また、ＵＥ２はＵＥ１のＤ２Ｄ通信相手である第１の相手端末に該当し、ＵＥ３はＵＥ２のＤ２Ｄ通信相手である第２の相手端末に該当する。
【００４７】
図６は、図５の状態におけるＵＥ１のアンテナピクトを説明するための図である。図６を参照して、ＵＥ１は、電池ピクト３１１と、ＬＴＥ用アンテナピクト３１９と、Ｄ２Ｄ用アンテナピクト３１２Ｂ，３１３Ｂとを、ステータスバー３１０に表示する。
【００４８】
Ｄ２Ｄ用アンテナピクト３１２Ｂは、Ｄ２Ｄ通信においてＵＥ２によって送信された電波の受信レベルに基づくアンテナピクトである。Ｄ２Ｄ用アンテナピクト３１３Ｂは、ＵＥ３に関するアンテナピクトである。
【００４９】
詳しくは、Ｄ２Ｄ用アンテナピクト３１２Ｂは、当該ピクトがＤ２Ｄ通信用であることを明示するための識別情報を含む。典型的には、ＵＥ１は、Ｄ２Ｄの文字列を、複数本で構成されるアンテナバーの近傍に表示する。また、Ｄ２Ｄ用アンテナピクト３１２Ｂは、ＵＥ２に関するものであることを明示するための識別情報を含む。典型的には、ＵＥ１は、“ＵＥ２”の文字列を、複数本で構成されるアンテナバーの近傍に表示する。さらに、Ｄ２Ｄ用アンテナピクト３１２Ｂは、ＵＥ１の上記動作モードを表す情報を含む。なお、Ｄ２Ｄ用アンテナピクト３１３Ｂも、Ｄ２Ｄ用アンテナピクト３１２Ｂと同様に、各種の識別情報を含む。
【００５０】
詳しくは、ＵＥ１は、ＵＥ２を介したＵＥ３との通信を利用して、ＵＥ３によって送信された電波の受信レベルを算出する（以下、「第１の手法」とも称する）。あるいは、ＵＥ１は、ＵＥ２によって測定された、ＵＥ３によって送信された電波の受信レベルを、ＵＥ２から取得する（以下、「第２の手法」とも称する）。ＵＥ１は、当該算出または取得された受信レベルに基づき、Ｄ２Ｄ用アンテナピクト３１３Ｂを表示する。なお、上記第１の手法および第２の手法の詳細については、後述する。
【００５１】
以上のように、ＵＥ１は、Ｄ２Ｄ用アンテナピクト３１２Ｂに加えて、Ｄ２Ｄ用アンテナピクト３１３Ｂを表示する。したがって、ＵＥ１のユーザは、ＵＥ１がＵＥ２を介してＵＥ３と通信が可能な状態にあることが分かる。
【００５２】
＜Ｃ．第３の局面＞
図７は、通信システム１０における第３の局面を説明するための図である。図７を参照して、第３の局面においては、通信システム１０は、ｅＮＢ９と、ＵＥ１と、ＵＥ２と、ＵＥ３、ＵＥ４とによって構成されている。
【００５３】
ＵＥ１は、ｅＮＢ９が構成するセル９００に在圏している。一方、ＵＥ２、ＵＥ３、およびＵＥ４の各々は、セル９００に在圏していない。
【００５４】
ＵＥ１とＵＥ２との間では、Ｄ２Ｄ通信が確立している。また、ＵＥ２とＵＥ３との間でも、Ｄ２Ｄ通信が確立している。さらに、ＵＥ１とＵＥ４との間でも、Ｄ２Ｄ通信が確立している。また、ＵＥ３とＵＥ４との間でも、Ｄ２Ｄ通信が確立している。
【００５５】
詳しくは、ＵＥ１は、ＵＥ２を介して、ＵＥ３と通信が可能な状態にある。また、ＵＥ１は、ＵＥ４を介して、ＵＥ３と通信が可能な状態にある。つまり、ＵＥ１は、ＵＥ３との通信のために、ＵＥ２およびＵＥ３をリレーとして用いている。
【００５６】
ここでは、ＵＥ１がオーナーＵＥに該当する。また、ＵＥ２はＵＥ１のＤ２Ｄ通信相手である第１の相手端末に該当し、ＵＥ４はＵＥ２とは異なるＵＥ１のＤ２Ｄ通信相手である第３の相手端末に該当し、ＵＥ３はＵＥ２およびＵＥ４のＤ２Ｄ通信相手である第２の相手端末に該当する。
【００５７】
図８は、図７の状態におけるＵＥ１のアンテナピクトを説明するための図である。図８を参照して、ＵＥ１は、電池ピクト３１１と、ＬＴＥ用アンテナピクト３１９と、Ｄ２Ｄ用アンテナピクト３１２Ｂ，３１３Ｂ，３１４とを、ステータスバー３１０に表示する。つまり、ＵＥ１が、Ｄ２Ｄ用アンテナピクト３１４を表示する点において、図６のＵＥ１とは異なる。
【００５８】
Ｄ２Ｄ用アンテナピクト３１４は、Ｄ２Ｄ通信においてＵＥ４によって送信された電波の受信レベルに基づくアンテナピクトである。Ｄ２Ｄ用アンテナピクト３１３Ｂは、上述したように、ＵＥ３に関するアンテナピクトである。ＵＥ１がＵＥ２をリレーとして利用した場合およびＵＥ１がＵＥ４をリレーとして利用した場合のいずれかの通信により、上記第１の手法で算出または上記第２の手法により取得された受信レベルに基づき、ＵＥ１は、ＵＥ３に関するＤ２Ｄ用アンテナピクト３１３Ｂをステータスバー３１０に表示する。
【００５９】
以上のように、ＵＥ１は、ＵＥ１のユーザがデータ通信を希望する通信相手（すなわち、ＵＥ１が送信するデータに送信先として記述されているＵＥ）であるＵＥ３のみならず、リレーとして機能しているＵＥ２，４についてのアンテナピクトを、ステータスバー３１０に表示する。したがって、ＵＥ１のユーザは、リレーとして機能しているＵＥの受信レベルについても知ることができる。
【００６０】
なお、以下では、区別するために、ＵＥ１のユーザがデータ通信を希望する通信相手を「相手側ＵＥ」、リレーとして機能しているＵＥを「リレーＵＥ」と呼称する。
【００６１】
ところで、リレーＵＥの数が多くなると、Ｄ２Ｄ用アンテナピクトがステータスバー３１０に収まらない場合も発生する。このような場合、オーナーＵＥ（図９の場合、ＵＥ１）は、リレーＵＥに関するアンテナピクトを非表示とする。これにより、相手側ＵＥのアンテナピクトがステータスバーに表示されないといった事態の発生を防ぐことができる。
【００６２】
図９は、ある局面において、オーナーＵＥであるＵＥ１が、リレーＵＥに関するアンテナピクトを非表示とした場合を表した図である。図９を参照して、たとえば、図８と比べた場合、Ｄ２Ｄ用アンテナピクト３１２Ｂ，３１４を非表示とする。これにより、ＵＥ１のユーザは、相手側ＵＥであるＵＥ３についてのアンテナピクト（つまり、Ｄ２Ｄ用アンテナピクト３１３Ｂ）を視認することができる。
【００６３】
ところで、第２の局面（図５参照）および第３の局面（図７参照）において、ＵＥ１とＵＥ３との間の通信を中継するＵＥ２に着目すれば、ＵＥ２は以下の構成を備えると言える。
【００６４】
リレーとして機能するＵＥ２は、Ｄ２Ｄ通信においてＵＥ１によって送信された電波の受信レベルに基づくアンテナピクトと、Ｄ２Ｄ通信においてＵＥ３によって送信された電波の受信レベルに基づくアンテナピクトとを、表示部３００のステータスバー３１０に表示する。
【００６５】
このような構成によれば、ＵＥ２のユーザは、２つの異なるＵＥとの間におけるＤ２Ｄ通信における電波の受信レベルを視認することが可能となる。なお、ＵＥ４についても、ＵＥ２と同様な効果を奏する。
【００６６】
（変形例）
図８においては、リレーＵＥのアンテナピクトとして、ＵＥ１が、ＵＥ２に関するＤ２Ｄ用アンテナピクト３１２Ｂと、ＵＥ４に関するＤ２Ｄ用アンテナピクト３１４とを表示する構成を例に挙げて説明した。しかしながら、これに限定されるものではない。
【００６７】
ＵＥ１は、複数のリレーＵＥに関する複数のアンテナピクトのうち、受信レベルが最も高いアンテナピクトのみを表示してもよい。たとえば、図８と同様の通信状態の場合には、ＵＥ１は、Ｄ２Ｄ用アンテナピクト３１２Ｂ，３１４のうち、Ｄ２Ｄ用アンテナピクト３１２Ｂのみを表示してもよい。なお、この場合におけるＵＥ１におけるステータスバー３１０の状態は、図６に示したステータスバー３１０の状態と同じとなる。
【００６８】
＜Ｄ．機能的構成＞
図１０は、ＵＥ１の機能的構成を説明するための図である。図１０を参照して、ＵＥ１は、制御部（プロセッサ等）１１０と、記憶部１２０と、表示部（ディスプレイ等）３００と、通信処理部１４０とを備えている。
【００６９】
制御部１１０は、ＵＥ１の全体の動作を制御する。記憶部１２０は、オペレーティングシステム、各種のアプリケーションプログラム、各種のデータを格納している。表示部３００は、各種の画像（画面）を表示する。通信処理部１４０は、ｅＮＢ９等のｅＮＢとの間の通信、および他のＵＥとの間のＤ２Ｄ通信等を実行するための各種の処理（ＲＦ処理、ベースバンド処理等）を行なう。
【００７０】
制御部１１０は、プロセッサ（典型的には、ＣＰＵ（Central  Processing  Unit））に対応する。詳しくは、制御部１１０は、プロセッサが記憶部１２０に格納されたオペレーティングシステムおよびアップリケーションプログラムを実行することにより実現される。記憶部１２０は、メモリに対応する。当該メモリは、典型的には、ＲＯＭ（Read  Only  Memory）、ＲＡＭ（Random  Access  Memory）、フラッシュメモリ等で構成される。表示部３００は、ディスプレイに対応する。
【００７１】
通信処理部１４０は、送信部１４１と、受信部１４２とを含む。送信部１４１は、ＬＴＥ用送信部１４１１と、Ｄ２Ｄ用送信部１４１２とを有する。受信部１４２は、ＬＴＥ用受信部１４２１と、Ｄ２Ｄ用受信部１４２２とを有する。
【００７２】
通信処理部１４０は、ｅＮＢとの間の通信、および他のＵＥとのＤ２Ｄ通信に用いられる。通信処理部１４０は、制御部１１０からの指令に基づいて、他の機器との間の通信を実行する。送信部１４１は、ｅＮＢおよび他のＵＥにデータを送信する。ＬＴＥ用送信部１４１１は、ｅＮＢに対してデータを送信する。Ｄ２Ｄ用送信部１４１２は、Ｄ２Ｄ通信によって他のＵＥに対してデータを送信する。受信部１４２は、ｅＮＢおよび他のＵＥからデータを受信する。ＬＴＥ用受信部１４２１は、ｅＮＢからデータを受信する。Ｄ２Ｄ用受信部１４２２は、Ｄ２Ｄ通信によって他のＵＥからデータを受信する。
【００７３】
（制御部１１０の詳細）
制御部１１０は、受信レベル測定部１１１と、受信レベル判定部１１２と、受信レベル測定部１１３とを含む。以下、上述した第１の局面（図１）、第２の局面（図５）、および第３の局面（図７）を適宜参照して、説明する。
【００７４】
（１）受信レベル測定部１１１は、ｅＮＢ９によって送信された電波の受信レベルを、周期的に測定する。また、受信レベル測定部１１１は、Ｄ２Ｄ通信において相手端末（リレーを含む）によって送信された電波の受信レベルを、周期的に測定する。上記第１の局面および第２の局面においては、受信レベル測定部１１１は、ｅＮＢ９によって送信された電波の受信レベルと、ＵＥ２によって送信された電波の受信レベルを測定する。また、第３の局面においては、受信レベル測定部１１１は、ｅＮＢ９によって送信された電波の受信レベルと、ＵＥ２およびＵＥ４の各々によって送信された電波の受信レベルを測定する。以下、受信レベル測定部１１１における測定処理の詳細について説明する。
【００７５】
ｅＮＢから送信される電波の受信レベルの測定は、ＵＥ１の受信レベル測定部１１１が、ＲＳ（Reference  Signal）信号から受信品質（RSRP等）を測定することにより行われる。
【００７６】
ＵＥ１は、Ｄ２Ｄ通信では、ＵＥのＵＬ（Up  Link）信号の帯域を使用して、ＵＥ２等の他のＵＥと通信する。そこで、Ｄ２Ｄ通信における受信レベルの測定は、ＵＥ１の受信レベル測定部１１１が、ＵＬ信号内のＲＳ信号から受信品質を測定することにより行われる。具体的には、受信レベル測定部１１１は、他のＵＥから送信されるＲＳ信号から受信品質（RSRP等）を測定する。なお、ＵＥ１は、受信品質の測定にRSRPを用いたが、受信品質を表すものであれば他（RSRQ等）を用いてもよい。
【００７７】
ところで、ＲＳＲＰ（Reference  Signal  Received  Power）は、１リソースエレメント（帯域１５ｋＨｚ）当たりのＲＳ信号の受信電力である。ＲＳは、周波数的にも時間的にも偏らずに送信されており、トラフィック量にも左右されない。ＲＳＲＰは、ｅＮＢの送信電力やアンテナの向きおよび高さなどのｅＮＢの固定的な設置条件と、ｅＮＢからの距離や障害物などの測定環境とによって、ほぼ決定する値である。それゆえ、ＲＳＲＰは、ｅＮＢからの電波の受信レベルを評価する基本的なパラメータとして用いられる。
【００７８】
（２）受信レベル判定部１１２は、上述した第１の手法を実行するための機能ブロックである。なお、ＵＥ１が上記第１の手法の代わりに上述した第２の手法を実行する場合には、受信レベル判定部１１２の代わりに受信レベル取得部を備えるように、ＵＥ１を構成すればよい。受信レベル取得部については、後述する。
【００７９】
受信レベル判定部１１２は、ＵＥ２を介したＵＥ３との通信を利用して、ＵＥ３によって送信された電波の受信レベルを判定（算出）する。具体的には、当該受信レベルの判定に際に、ＵＥ１は、以下のように、トレーニング信号を用いた処理（i）,（ii），（iii）を実行する。
【００８０】
（i）オーナーＵＥであるＵＥ１は、相手側ＵＥであるＵＥ３宛のＤＬ（Down  Link）データにトレーニング信号を埋め込み、当該ＤＬデータを、リレーＵＥ２等を介して送信する。
【００８１】
（ii）ＵＥ３は、ＵＬデータにトレーニング信号をそのまま挿入して送信する。すなわち、ＵＥ３は、ＵＥ１宛に、トレーニング信号をループバックする。
【００８２】
（iii）ＵＥ１の受信レベル判定部１１２は、ＵＥ３のトレーニング信号の謝り率を算出し、当該算出された値に基づき受信レベル（受信品質）を判定する。具体的には、受信レベル判定部１１２は、ＵＥ１から送信されたトレーニング信号の送信と、ＵＥ２を介してＵＥ３から受信したトレーニング信号とを比較することにより誤り率を算出し、当該算出された値に基づき受信レベルを判定する。
【００８３】
（３）受信レベル測定部１１３は、ＵＥ１がリレーＵＥとして機能する場合に用いられる。受信レベル測定部１１３は、上記第１から第３の局面とは異なり、たとえばＵＥ１がオーナーＵＥ（図示せず）とＤ２Ｄ通信をしている場合には、当該オーナーＵＥから送られてくる電波の受信レベルを測定する。
【００８４】
また、他の局面において、ＵＥ１が、他のリレーＵＥを介して、オーナーＵＥと通信をしている場合には、受信レベル測定部１１３は、当該他のリレーＵＥから送られてくる電波の受信レベルを測定する。
【００８５】
つまり、受信レベル測定部１１３は、一連の中継ネットワークにおいて、ｅＮＢ側に位置するＵＥから送られてくる電波の受信レベルを測定する点において、ｅＮＢとは反対側に位置するＵＥから送られてくる電波の受信レベルを測定する受信レベル測定部１１１とは異なる。
【００８６】
（４）制御部１１０は、表示部３００に、ＵＥ１の状況に応じて、上記各種の受信レベルを表示するためのアンテナピクトを表示する。具体的には、制御部１１０は、図２（Ａ）、図３、図４、図６、図８、図９に示した各種のアンテナピクトを、表示部３００に表示する。
【００８７】
なお、ＵＥ２，３，４もＵＥ１と同様の構成を有するため、ここでは、ＵＥ２，３，４の機能的構成については繰り返し説明しない。
【００８８】
（変形例）
上記においては、ＵＥ１等が、受信レベル判定部１１２を備えた構成を例に挙げて説明した。すなわち、ＵＥ１等が、上述した第１の手法を実行する構成を例挙げて説明した。以下では、ＵＥ１等が、上記第１の手法の代わりに、上述した第２の手法を実行する構成を説明する。また、以下では、説明の便宜上、上記第２の局面（図５参照）を例に挙げて説明する。
【００８９】
ＵＥ１等は、上記第２の手法を実行するために、上述したように、受信レベル判定部１１２の代わりに受信レベル取得部（図示せず）を備える。
【００９０】
リレーＵＥであるＵＥ２は、ＵＥ３から送信された電波の受信レベルを測定する。さらに、ＵＥ２は、ＵＥ１宛に送信するデータに上記測定された結果（受信レベル）を挿入し、ＵＥ１に当該データを送信する。
【００９１】
ＵＥ１の受信レベル取得部は、ＵＥ２から送信されてきたデータを復調することによって、相手側ＵＥ３の受信レベルを取得する。すなわち、受信レベル取得部は、ＵＥ２によって測定された、ＵＥ３によって送信された電波の受信レベルを、ＵＥ２から取得する。
【００９２】
これにより、ＵＥ１は、たとえば図６に示したように、ＵＥ３に関するアンテナピクト（図６においては、Ｄ２Ｄ用アンテナピクト３１３Ｂ）をステータスバー３１０に表示することが可能となる。
【００９３】
＜Ｅ．制御構造＞
図１１は、ＵＥ１における処理の流れを説明するためのフローチャートである。図１１を参照して、ステップＳ２において、オーナーＵＥであるＵＥ１は、Ｄ２Ｄ通信の準備を開始する。ステップＳ４において、ＵＥ１は、ｅＮＢ９から送られてくる報知情報に基づき、ｅＮＢ９がＤ２Ｄ通信に対応しているか否かを判断する。
【００９４】
対応していると判断された場合（ステップＳ４においてＹＥＳ）、ステップＳ６において、ＵＥ１は、他のＵＥ（たとえば、ＵＥ２，ＵＥ４）との間でＤ２Ｄ通信を開始する。対応していないと判断された場合（ステップＳ４においてＮＯ）、ステップＳ１６において、ＵＥ１は、ＬＴＥ用アンテナピクト３１９の色を青色（第１の色）から赤色（第２の色）に変更する。
【００９５】
ステップＳ８において、ＵＥ１は、相手側ＵＥと通信するに際して、リレーＵＥが必要か否かを判断する。たとえば、ＵＥ１は、他のＵＥを介さずに、相手側ＵＥ（上記第２の局面および第３の局面においてはＵＥ３）とＤ２Ｄ通信によって通信できるか否かに基づき、リレーＵＥ必要か否かを判断する。
【００９６】
必要でないと判断された場合（ステップＳ８においてＮＯ）、ステップＳ１８において、Ｄ２Ｄ通信の通信相手であるＵＥ（たとえば上記第１の局面ではＵＥ２）の受信レベルを測定する。ステップＳ２０において、ＵＥ１は、ＬＴＥ用アンテナピクトと、Ｄ２Ｄ用アンテナピクトとを、表示部３００に表示されたステータスバー３１０に表示する。たとえば上記第１の局面には、ＵＥ１は、図２（Ａ）に示した表示を行なう。
【００９７】
必要であると判断された場合（ステップＳ８においてＹＥＳ）、ステップＳ１０において、ＵＥ１は、たとえば上述した第１の手法を用いて、相手側ＵＥの受信レベルを判定する。あるいは、ＵＥ１は、上述した第２の手法を用いて、相手側ＵＥの受信レベルをリレーＵＥから取得する。
【００９８】
ステップＳ１２において、ＵＥ１は、相手側ＵＥおよびリレーＵＥについての全てのＤ２Ｄ用アンテナピクトを、ステータスバー３１０に表示可能か否かを判断する。表示可能であると判断された場合（ステップＳ１２においてＹＥＳ）、ステップＳ１４において、ＵＥ１は、たとえば図８に示したように、全てのＵＥのアンテナピクトをステータスバー３１０に表示する。表示不可能であると判定された場合（ステップＳ１２においてＮＯ）、ステップＳ１６において、ＵＥ１は、たとえば図９に示すとおり、Ｄ２Ｄ用アンテナピクトに関しては、Ｄ２Ｄ通信の相手側ＵＥのみのアンテナピクトを表示する。
【００９９】
なお、ＵＥ２，３，４についても、各々がオーナーＵＥとして機能する場合には、図１１に示した処理と同一処理を実行するため、ここでは、ＵＥ２，３，４がオーナーＵＥとして機能する場合の処理の流れについては繰り返し説明しない。
【０１００】
今回開示された実施の形態は例示であって、上記内容のみに制限されるものではない。本発明の範囲は請求の範囲によって示され、請求の範囲と均等の意味および範囲内でのすべての変更が含まれることが意図される。
【符号の説明】
【０１０１】
１，２，３，４  ＵＥ、９  ｅＮＢ、１０  通信システム、１１０  制御部、１１１，１１３  受信レベル測定部、１１２  受信レベル判定部、１２０  記憶部、１４０  通信処理部、１４１  送信部、１４２  受信部、３００  表示部、３１０  ステータスバー、３１１  電池ピクト、３１２，３１２Ａ，３１２Ｂ，３１３Ｂ，３１３Ｃ，３１４  Ｄ２Ｄ用アンテナピクト、３１９  ＬＴＥ用アンテナピクト、９００  セル、１４１１，１４１２  ＬＴＥ用送信部、１４２１，１４２２  Ｄ２Ｄ用受信部。
【図１】
2016190013.tif 000003
【図２】
2016190013.tif 000004
【図３】
2016190013.tif 000005
【図４】
2016190013.tif 000006
【図５】
2016190013.tif 000007
【図６】
2016190013.tif 000008
【図７】
2016190013.tif 000009
【図８】
2016190013.tif 000010
【図９】
2016190013.tif 000011
【図１０】
2016190013.tif 000012
【図１１】
2016190013.tif 000013
【国際調査報告】
2016190013.tif 000014
2016190013.tif 000015
2016190013.tif 000016
2016190013.tif 000017